(57)【要約】有利に透明な、場合により既に１つ又は複数の反射層で被覆された基板を有し、この基板表面上に光により書き込み可能な情報層、場合により１つ又は複数の反射層及び場合により保護層又は他の基板又はカバー層が設けられていて、青色光又は赤色光、有利にレーザー光で書き込み及び読み出すことができ、前記の情報層は吸光性化合物及び場合により結合剤を含有する光学データ記録媒体において、吸光性化合物として少なくとも１種のキサンテン色素を使用し、この色素は少なくとも２つのアニオン性の基を含有し、対イオンとして少なくとも１種のカチオンを有し、このカチオンは少なくとも６つのπ電子を有する少なくとも１つの共役π系を含有し、その際、カチオンはベンジルトリメチルアンモニウム、ベンジルトリエチルアンモニウム、テトラフェニルホスホニウム、ブチルトリフェニルホスホニウム又はエチルトリフェニルホスホニウムであってはならないことを特徴とする、光学データ記録媒体。【特許請求の範囲】
【請求項１】
有利に透明な、場合により既に１つ又は複数の反射層で被覆された基板を有し、この基板表面上に光により書き込み可能な情報層、場合により１つ又は複数の反射層及び場合により保護層又は他の基板又はカバー層が設けられていて、青色光又は赤色光、有利にレーザー光で書き込み及び読み出すことができ、前記の情報層は吸光性化合物及び場合により結合剤を含有する光学データ記録媒体において、吸光性化合物として少なくとも１種のキサンテン色素を使用し、この色素は少なくとも２つのアニオン性の基を含有し、対イオンとして少なくとも１種のカチオンを有し、このカチオンは少なくとも６つのπ電子を有する少なくとも１つの共役π系を含有し、但し、カチオンはベンジルトリメチルアンモニウム、ベンジルトリエチルアンモニウム、テトラフェニルホスホニウム、ブチルトリフェニルホスホニウム又はエチルトリフェニルホスホニウムではないことを特徴とする、光学データ記録媒体。
【請求項２】
キサンテン色素が次の式（Ｉ）
【化１】
2004523395.tif 000042
［式中、
Ｒ１〜Ｒ４は相互に無関係に、水素、Ｃ１〜Ｃ１６−アルキル、Ｃ３〜Ｃ６−アルケニル、Ｃ５〜Ｃ７−シクロアルキル、Ｃ７〜Ｃ１６−アラルキル、Ｃ６〜Ｃ１０−アリール又は複素環式基を表し、これらは非イオン性の基又はアニオン性の基Ｘ−で置換されていてもよく、又は
ＮＲ１Ｒ２又はＮＲ３Ｒ４は相互に無関係に５員又は６員の、Ｎを介して結合した飽和環を表し、この環はさらにＮ又はＯを有することができかつ／又は非イオン性の基により置換されていてもよく、
Ｒ５〜Ｒ１０は相互に無関係に、水素、ハロゲン、Ｃ１〜Ｃ１６−アルキル、Ｃ１〜Ｃ１６−アルコキシ、Ｃ１〜Ｃ１６−アルキルチオ、シアノ又はニトロを表すか、又は
Ｒ１；Ｒ５、Ｒ２；Ｒ６、Ｒ３；Ｒ８又はＲ４；Ｒ９は相互に無関係に、２員又は３員の架橋を表し、この架橋はＮ又はＯを含有することができかつ／又は非イオン性の基により置換されていてもよく、
Ｒ１１は水素、Ｃ１〜Ｃ１６−アルキル、Ｃ５〜Ｃ７−シクロアルキル、Ｃ６〜Ｃ１０−アリール又は複素環式基を表し、これらは非イオン性の基又はアニオン性の基Ｘ−により置換されていてもよく、
Ｘ−は式−ＣＯＯ−、−ＳＯ３−又は−Ｏ−ＳＯ３−のアニオン性の基を表すか、又は式−ＰＯ３２−又は−Ｏ−ＰＯ３２−の二価のアニオン性の基の等価物を表し、
Ｍ＋はカチオン又はポリカチオンの等価物を表し、これは少なくとも６つのπ電子を有する少なくとも１つの共役π系を含有し、かつ
ｎは１〜３の整数を表し、
但し、Ｍ＋はベンジルトリメチルアンモニウム、ベンジルトリエチルアンモニウム、テトラフェニルホスホニウム、ブチルトリフェニルホスホニウム又はエチルトリフェニルホスホニウムを表さない］に相当することを特徴とする、請求項１記載の光学データ記録媒体。
【請求項３】
Ｍ＋は
ａ）  芳香族又はヘテロ芳香族により置換されたアンモニウム塩、スルホニウム塩又はヨードニウム塩、
ｂ）  環式オニウム塩、
ｃ）  酸化されたカチオン性又はラジカルカチオン性の形のレドックス系、
ｄ）  カチオン性色素系を表す、
ことを特徴とする、請求項１又は２記載の光学データ記録媒体。
【請求項４】
式（Ｉ）において、
Ｒ１〜Ｒ４は相互に無関係に、水素、メチル、エチル、プロピル、ブチル、クロロエチル、シアノエチル、ヒドロキシエチル、ヒドロキシプロピル、−ＣＨ２ＣＨ２ＣＯＯ−、−ＣＨ２ＣＨ２ＣＨ２ＣＯＯ−、−ＣＨ２ＣＨ２ＣＨ２ＣＨ２ＣＯＯ−、−ＣＨ２ＣＨ２ＳＯ３−、−ＣＨ２ＣＨ２ＣＨ２ＳＯ３−、−ＣＨ２ＣＨ２ＣＨ２ＣＨ２ＳＯ３−、−ＣＨ２ＣＨ２ＯＳＯ３−、アリル、シクロペンチル、シクロヘキシル、ベンジル、フェニルエチル、フェニル、トリル、アニシル、−Ｃ６Ｈ４−ＳＯ３−、ピリジル又はフリルを表すか、又は
ＮＲ１Ｒ２又はＮＲ３Ｒ４は相互に無関係にピロリジノ、ピペリジノ、モルホリノ、ピペラジノ又はＮ−メチルピペラジノを表し、
Ｒ５〜Ｒ１０は相互に無関係に、水素、クロロ、メチル又はメトキシを表すか、又は
Ｒ１；Ｒ５、Ｒ２；Ｒ６、Ｒ３；Ｒ８又はＲ４；Ｒ９は相互に無関係に−ＣＨ２ＣＨ２−、−ＣＨ２ＣＨ２ＣＨ２−又は−ＣＨ２ＣＨ２−Ｏ−架橋を表し、
Ｒ１１は水素、−ＣＨ２ＣＨ２ＣＯＯ−、−ＣＨ２ＣＨ２ＣＨ２ＣＯＯ−、−ＣＨ２ＣＨ２ＣＨ２ＣＨ２ＣＯＯ−、−ＣＨ２ＣＨ２ＳＯ３−、−ＣＨ２ＣＨ２ＣＨ２ＳＯ３−、−ＣＨ２ＣＨ２ＣＨ２ＣＨ２ＳＯ３−、−ＣＨ２ＣＨ２ＯＳＯ３−、フェニル、ナフチル又はピリジルを表し、これらは２個までの基−ＣＯＯ−、−ＳＯ３−、ＣＮ、−ＣＯＯ−メチル〜−ブチルにより置換されている、
その際、基Ｒ１〜Ｒ４及びＲ１１は合計で少なくとも２個の−ＣＯＯ−又は−ＳＯ３−基を含有し、
Ｍ＋は次の式のカチオン又はポリカチオンの等価物を表し、
【化２】
2004523395.tif 000043
【化３】
2004523395.tif 000044
【化４】
2004523395.tif 000045
【化５】
2004523395.tif 000046
【化６】
2004523395.tif 000047
［式中、
Ｒ２１〜Ｒ２３、Ｒ３６、Ｒ３７、Ｒ３９〜Ｒ４２、Ｒ５１〜Ｒ５４、Ｒ５７、Ｒ６１〜Ｒ６６、Ｒ７２、Ｒ７３、Ｒ７２′、Ｒ７３′、Ｒ７６、Ｒ７７、Ｒ８０及びＲ８１は相互に無関係に、水素、Ｃ１〜Ｃ１６−アルキル、Ｃ３〜Ｃ６−アルケニル、Ｃ５〜Ｃ７−シクロアルキル、Ｃ７〜Ｃ１６−アラルキル又はＣ６〜Ｃ１０−アリールを表し、これらは非イオン性の基により置換されていてもよく、又は
２つの隣接する基はこれらの基と結合する窒素原子と一緒になって５員又は６員の、Ｎを介して結合する飽和環を表し、この環はさらにＮ又はＯを有することができかつ／又は非イオン性の基により置換されていてもよく、
Ｒ２５〜Ｒ２７、Ｒ３２、Ｒ３３及びＲ７８は相互に無関係に、Ｃ１〜Ｃ１６−アルキル、Ｃ３〜Ｃ６−アルケニル、Ｃ５〜Ｃ７−シクロアルキル、Ｃ７〜Ｃ１６−アラルキル又はＣ６〜Ｃ１０−アリールを表し、これらは非イオン性の基により置換されていてもよく、
Ｒ２８は水素、クロロ、アミノ、Ｃ１〜Ｃ１６−アルキル、Ｃ３〜Ｃ６−アルケニル、Ｃ５〜Ｃ７−シクロアルキル、Ｃ７〜Ｃ１６−アラルキル、Ｃ６〜Ｃ１０−アリールを表し、
Ｒ２４、Ｒ２４′、Ｒ２９〜Ｒ３１、Ｒ３５及びＲ７９は相互に無関係に、水素、ハロゲン、Ｃ１〜Ｃ８−アルキル、Ｃ１〜Ｃ８−アルコキシ、Ｃ１〜Ｃ４−アルキルチオ、シアノ又はニトロを表すか、又は
２つの隣接する基Ｒ２４、Ｒ２９、Ｒ３４及びＲ３５は−ＣＨ＝ＣＨ−ＣＨ＝ＣＨ−架橋を表し、
Ｒ３８、Ｒ５５及びＲ５６は相互に無関係に、水素、ハロゲン、Ｃ１〜Ｃ４−アルキル、Ｃ１〜Ｃ４アルコキシ、シアノ、ニトロ、Ｃ１〜Ｃ４−アルコキシカルボニル、Ｃ１〜Ｃ４−アルカノイルアミノ又はＣ１〜Ｃ４−アルカンスルホニルアミノを表し、Ｒ３８はＲ３６と一緒に−（ＣＨ２）２−又は（ＣＨ２）３−架橋を形成することができ、
Ｒ４３〜Ｒ４８、Ｒ６０、Ｒ６７、Ｒ６８及びＲ８２は相互に無関係に、水素、ハロゲン、Ｃ１〜Ｃ８−アルキル、Ｃ１〜Ｃ８−アルコキシ又はＣ１〜Ｃ４−アルキルチオを表し、かつＲ４３はＲ３９と、Ｒ４４はＲ４０と、Ｒ４６はＲ４１と、Ｒ４７はＲ４１と、Ｒ６７はＲ６３と、Ｒ６８はＲ６５と、Ｒ８２はＲ８０と一緒に−（ＣＨ２）２−又は−（ＣＨ２）３−架橋を形成することができ、
Ｒ４９、Ｒ７４及びＲ７４′は相互に無関係に、水素、Ｃ１〜Ｃ１６−アルキル、Ｃ５〜Ｃ７−シクロアルキル又はＣ６〜Ｃ１０−アリールを表し、これらは非イオン性の基により置換されていてもよく、
Ｙ１〜Ｙ３は相互に無関係に、Ｏ、Ｓ、ＮＲ５７、ＣＲ５８Ｒ５９又は−ＣＨ＝ＣＨ−を表し、
Ｙ４はＣＲ６０又はＮを表し、
Ｙ５及びＹ６は相互に無関係に、Ｏ、Ｓ、ＮＲ５７又はＣＲ５８Ｒ５９を表し、
Ｚ、Ｙ７及びＹ７′は相互に無関係に、Ｎ、ＣＨ又はＣ−ＣＮを表し、
Ｙ８及びＹ８′は相互に無関係にＯ又はＳを表し、
Ｒ５８及びＲ５９は相互に無関係に、水素又はＣ１〜Ｃ４−アルキルを表すか、又は
ＣＲ５８Ｒ５９は次の式の環
【化７】
2004523395.tif 000048
又は
【化８】
2004523395.tif 000049
を表し、その際、アスタリスク（*）で示す原子から２つの単結合が出ている、
Ｒ５０は水素、ハロゲン、Ｃ１〜Ｃ４−アルキル、Ｃ１〜Ｃ４−アルコキシ、Ｃ１〜Ｃ４−アルキルチオ、シアノ、ニトロ、Ｃ１〜Ｃ４−アルコキシカルボニル、モノ−又はジアルキルアミノ、ピロリジノ、ピペリジノ又はモルホリノを表すか、又は
Ｒ５０；Ｒ６０は一緒に−ＣＨ＝ＣＨ−ＣＨ＝ＣＨ−架橋を形成し、
Ｒ６９及びＲ７５は相互に無関係に、水素、Ｃ１〜Ｃ４−アルキル又は次の式の基
【化９】
2004523395.tif 000050
又は
【化１０】
2004523395.tif 000051
を表し、
Ｒ７０及びＲ７０′は相互に無関係に、水素、ハロゲン、Ｃ１〜Ｃ８−アルキル、Ｃ１〜Ｃ８−アルコキシ又はＣ１〜Ｃ４−アルキルチオを表すか、又は一緒に−ＣＨ＝ＣＨ−ＣＨ＝ＣＨ−架橋を形成するか、Ｒ７０はＲ７７と一緒に−（ＣＨ２）２−又は−（ＣＨ２）３−架橋を表すことができ、
Ｒ７１は水素、ハロゲン、Ｃ１〜Ｃ８−アルキル、Ｃ１〜Ｃ８−アルコキシ、Ｃ１〜Ｃ４−アルキルチオ、モノ−又はジ−Ｃ１〜Ｃ８−アルキルアミノ、アニリノ又はＮ−Ｃ１〜Ｃ８−アルキルアニリノを表し、
Ａは次の式の基
【化１１】
2004523395.tif 000052
又は
【化１２】
2004523395.tif 000053
を表し、
Ｂ１は直接結合、−ＣＨ＝ＣＨ−又は−Ｃ≡Ｃ−を表し、
Ｂ２は直接結合、−ＣＨ＝ＣＨ−、−Ｃ≡Ｃ−又はチエン−２，５−ジイルを表し、
Ｈｅｔは５員又は６員の芳香族又は準芳香族の複素環式の環を表し、この環はＮ、Ｏ又はＳのグループからの１〜３個のヘテロ原子を含有していてもよくかつベンゼン縮合されていていてもよく、かつ／又は３個までの非イオン性の基により置換されていてもよく、
ｍは１〜３の整数を表し、その際、ｍ＞１の場合ｍで誘導される基は異なる意味を有していてもよく、かつ
ｎは１〜２の整数を表す］請求項１から３までのいずれか１項記載の光学データ記録媒体。
【請求項５】
キサンテン色素が式（ＩＩ）
【化１３】
2004523395.tif 000054
［式中、
Ｒ１〜Ｒ４は相互に無関係に、水素、メチル、エチル、プロピル、ブチル、シアノエチル、ヒドロキシエチル、ヒドロキシプロピル、シクロヘキシル、ベンジル又はフェニルを表すか、又は
ＮＲ１Ｒ２又はＮＲ３Ｒ４は相互に無関係に、ピロリジノ、ピペリジノ又はモルホリノを表し、
Ｒ５、Ｒ６、Ｒ８、Ｒ９は相互に無関係に、水素、メチル又はメトキシを表すか、又は
Ｒ６６、Ｒ７２、Ｒ７３、Ｒ７２′、Ｒ７３′、Ｒ７６、Ｒ７７、Ｒ８０及びＲ８１まで、Ｒ１；Ｒ５、Ｒ２；Ｒ６、Ｒ３；Ｒ８又はＲ４；Ｒ９は相互に無関係に−ＣＨ２ＣＨ２ＣＨ２−架橋を表し、
Ｍ＋は式（Ｘ）〜（ＸＩＩ）、（ＸＶ）、（ＸＶＩ）、（ＸＶＩＩＩ）〜（ＸＸ）、（ＸＸＩＶ）、（ＸＸＶＩ）、（ＸＸＶＩＩ）又は（ＸＸＶＩＩＩ）のカチオン又はポリカチオンの等価物を表し、
その際、
Ｒ２１〜Ｒ２３、Ｒ３６、Ｒ３７、Ｒ３９〜Ｒ４２、Ｒ５７、Ｒ６１〜Ｒ６６、Ｒ７２、Ｒ７３、Ｒ７２′、Ｒ７３′、Ｒ７６、Ｒ７７、Ｒ８０及びＲ８１は相互に無関係に、水素、メチル、エチル、プロピル、ブチル、シアノエチル、ヒドロキシエチル、ヒドロキシプロピル、シクロヘキシル、ベンジル又はフェニルを表すか、又は
ＮＲ２１Ｒ２２、ＮＲ３６Ｒ３７、ＮＲ３９Ｒ４０、ＮＲ４１Ｒ４２、ＮＲ６１Ｒ６２及びＮＲ８０Ｒ８１は相互に無関係に、ピロリジノ、ピペリジノ又はモルホリノを表し、
Ｒ２５〜Ｒ２７、Ｒ３２、Ｒ３３及びＲ７８は相互に無関係に、メチル、エチル、プロピル、ブチル、シアノエチル、ヒドロキシエチル、ヒドロキシプロピル、シクロヘキシル又はベンジルを表し、
Ｒ２４、Ｒ２４′、Ｒ３４、Ｒ３５及びＲ７９は相互に無関係に、水素、クロロ、メチル、メトキシ、シアノ又はニトロを表すか、又は
２つの隣接する基Ｒ２４、Ｒ３４及びＲ３５は−ＣＨ＝ＣＨ−ＣＨ＝ＣＨ−架橋を表し、
Ｒ３０及びＲ３１は同じであり、メチル、エチル、プロピル、２−プロピル、ブチル又はｔ−ブチルを表し、
Ｒ３８は水素、クロロ、メチル、メトキシ、シアノ、ニトロ、メトキシカルボニル、アセチルアミノ又はメタンスルホニルアミノを表し、
Ｒ４３〜Ｒ４８、Ｒ６７、Ｒ６８及びＲ８２は相互に無関係に、水素、クロロ、メチル又はメトキシを表し、
Ｒ４９、Ｒ７４及びＲ７４′は相互に無関係に、メチル、シクロヘキシル又はフェニルを表し、
Ｂ１は直接結合を表し、
Ｙ２及びＹ３は同じであり、Ｏ、Ｓ、ＮＲ５７、ＣＲ５８Ｒ５９又は−ＣＨ＝ＣＨ−を表し、
Ｙ６はＯ、Ｓ又はＮＲ５７を表し、
Ｒ５８及びＲ５９は同じであり、メチルを表し、
Ｚ、Ｙ７及びＹ７′はＣＨを表し、
Ｙ８及びＹ８′はＯ又はＳを表し、かつ同じであり、
Ｒ６９は水素又は次の式の基
【化１４】
2004523395.tif 000055
を表し、
Ｒ７５は水素又は次の式の基
【化１５】
2004523395.tif 000056
又は
【化１６】
2004523395.tif 000057
を表し、
Ｒ７０及びＲ７０′は相互に無関係に、水素、クロロ、メチル又はメトキシを表すか、一緒になって−ＣＨ＝ＣＨ−ＣＨ＝ＣＨ−架橋を形成し、
Ｒ７１は水素、クロロ、メチル、メトキシ、エトキシ、ジメチルアミノ、ジエチルアミノ、Ｎ−メチル−Ｎ−シアノエチルアミノ、Ｎ−メチル−Ｎ−ヒドロキシエチルアミノ、アニリノ又はＮ−メチルアニリノを表し、
Ａは次の式の基
【化１７】
2004523395.tif 000058
又は
【化１８】
2004523395.tif 000059
を表し、
ｍは１〜３の整数を表し、その際、ｍ＞１の場合ｍで誘導される基は異なる意味を有していてもよい］に相当する、請求項１から４までのいずれか１項記載の光学データ記録媒体。
【請求項６】
次の式（Ｉ）
【化１９】
2004523395.tif 000060
［式中、
Ｒ１〜Ｒ４は相互に無関係に、水素、Ｃ１〜Ｃ１６−アルキル、Ｃ３〜Ｃ６−アルケニル、Ｃ５〜Ｃ７−シクロアルキル、Ｃ７〜Ｃ１６−アラルキル、Ｃ６〜Ｃ１０−アリール又は複素環式基を表し、これらは非イオン性の基又はアニオン性の基Ｘ−で置換されていてもよく、又は
ＮＲ１Ｒ２又はＮＲ３Ｒ４は相互に無関係に５員又は６員の、Ｎを介して結合した飽和環を表し、この環はさらにＮ又はＯを有することができかつ／又は非イオン性の基により置換されていてもよく、
Ｒ５〜Ｒ１０は相互に無関係に、水素、ハロゲン、Ｃ１〜Ｃ１６−アルキル、Ｃ１〜Ｃ１６−アルコキシ、Ｃ１〜Ｃ１６−アルキルチオ、シアノ又はニトロを表すか、又は
Ｒ１；Ｒ５、Ｒ２；Ｒ６、Ｒ３；Ｒ８又はＲ４；Ｒ９は相互に無関係に、２員又は３員の架橋を表し、この架橋はＮ又はＯを含有することができかつ／又は非イオン性の基により置換されていてもよく、
Ｒ１１は水素、Ｃ１〜Ｃ１６−アルキル、Ｃ５〜Ｃ７−シクロアルキル、Ｃ６〜Ｃ１０−アリール又は複素環式基を表し、これらは非イオン性の基又はアニオン性の基Ｘ−により置換されていてもよく、
Ｘ−は式−ＣＯＯ−、−ＳＯ３−又は−Ｏ−ＳＯ３−のアニオン性の基を表すか、又は式−ＰＯ３２−又は−Ｏ−ＰＯ３２−の二価のアニオン性の基の等価物を表し、
Ｍ＋はカチオン又はポリカチオンの等価物を表し、これは少なくとも６つのπ電子を有する少なくとも１つの共役π系を含有し、かつ
ｎは１〜３の整数を表し、
但し、Ｍ＋はベンジルトリメチルアンモニウム、ベンジルトリエチルアンモニウム、テトラフェニルホスホニウム、ブチルトリフェニルホスホニウム又はエチルトリフェニルホスホニウムを表さない]のキサンテン色素。
【請求項７】
請求項６記載のキサンテン色素の製造方法において、Ｍ＋が請求項６に記載されたものとは異なる意味を有する式（Ｉ）のキサンテン色素を、次の式の塩
Ｍ＋Ｚ−
［式中、
Ｍ＋は請求項６に記載された意味を表す、及び
Ｚ-はアニオンを表す］と溶剤中で反応させることを特徴とする、キサンテン色素の製造方法。
【請求項８】
４２０〜６５０ｎｍの範囲内の吸収極大λｍａｘ２を有し、少なくとも２つのアニオン性の基を有し、かつ対イオンとして少なくとも１つのカチオンを有し、このカチオンは少なくとも６つのπ電子を有する少なくとも１つの共役π系を有するが、但し、このカチオンはベンジルトリメチルアンモニウム、ベンジルトリエチルアンモニウム、テトラフェニルホスホニウム、ブチルトリフェニルホスホニウム又はエチルトリフェニルホスホニウムではないキサンテン色素の、ライトワンス型光学データ記録媒体の情報層中での使用。
【請求項９】
少なくとも２つのアニオン性の基を有し、かつ対イオンとして少なくとも１つのカチオンを有し、このカチオンは少なくとも６つのπ電子を有する少なくとも１つの共役π系を有するが、但し、このカチオンはベンジルトリメチルアンモニウム、ベンジルトリエチルアンモニウム、テトラフェニルホスホニウム、ブチルトリフェニルホスホニウム又はエチルトリフェニルホスホニウムではないキサンテン色素の、青色又は赤色、特に赤色レーザー光で書き込まれかつ読み出されるライトワンス型光学データ記録媒体の情報層中での使用。
【請求項１０】
有利に透明な、場合により既に１つの反射層で被覆された基板を、場合により適当な結合剤及び添加剤及び場合により適当な溶剤と組み合わせたキサンテン色素で被覆し、場合により反射層、他の中間層及び場合により保護層又は他の基板又はカバー層を設けることを特徴とする、請求項１記載の光学データ記録媒体の製造方法。
【請求項１１】
青色光又は赤色光、特に赤色光、特に赤色レーザー光で書き込まれた、請求項１記載の光学データ記録媒体。
【発明の詳細な説明】
【技術分野】
【０００１】
本発明は、情報層中に吸光性化合物としてキサンテン色素を含有するライトワンス型光学データ記録媒体、並びにその製造方法に関する。
【０００２】
特別な吸光性物質もしくはこの混合物を使用したライトワンス型光学データ記録媒体は、青色レーザーダイオード、特にＧａＮ又はＳＨＧレーザーダイオード（３６０〜４６０ｎｍ）を用いて作業する高密度で書き込み可能な光学データ記録において使用するために、及び／又は赤色（６３５〜６６０ｎｍ）もしくは赤外線（７８０〜８３０ｎｍ）レーザーダイオードを用いて作業するＤＶＤ−ＲもしくはＣＤ−Ｒディスクにおいて使用するために、並びにポリマー基板、特にポリカーボネート上にスピンコーティング又は蒸着により上記の色素を適用するために特に適している。
【０００３】
ライトワンス型コンパクトディスク（ＣＤ−Ｒ、７８０ｎｍ）は、最近では著しい量的成長を遂げていて、技術的に確立されたシステムである。
【０００４】
次世代の光学データ記録のＤＶＤは急速に市場に導入されている。短波長レーザー放射線（６３５〜６６０ｎｍ）並びに高い開口数ＮＡを使用することにより、記憶密度は高めることができる。この書き込み可能なフォーマットは、この場合、ＤＶＤ−Ｒである。
【０００５】
現在、高いレーザー効率を有する青色レーザダイオード（ＧａＮベース、JP-A-08191171又は第２高調波発生(Second Harmonie Generation)  ＳＨＧ、JP-A-09050629）（３６０ｎｍ〜４６０ｎｍ）を利用する光学データ記録フォーマットが開発されている。従って、書き込み可能な光学データ記録はこの世代でも使用される。この書き込み可能な記録密度は、情報面でのレーザースポットの焦点合わせに依存する。この場合、このスポットサイズはレーザー波長λ／ＮＡで測られる。ＮＡは使用した対物レンズの開口数である。できる限り高い記憶密度を達成するために、できる限り小さな波長λを使用するようにしなければならない。現在では半導体レーザーダイオードに基づき３９０ｎｍが可能である。
【０００６】
特許文献では、色素をベースとして書き込み可能な光学データ記録が記載されていて、この光学データ記録はＣＤ−Ｒ及びＤＶＤ−Ｒシステムにも同様に適している（JP-A 11 043 481及びJP-A 10 181 206）。この場合、読み取り信号の高い反射及び高い変調高さ、並びに書き込み時の十分な感度について、ＣＤ−ＲのＩＲ波長７８０ｎｍが色素の吸収ピークの短波長側部の脚部にあり、ＤＶＤ−Ｒの赤色波長６３５ｎｍもしくは６５０ｎｍが色素の吸収ピークの短波長側部の脚部にあることを実際に使用する。この構想は、JP-A 02557335, JP-A 10058828 , JP-A 06336086, JP-A 02 865 955, WO-A 09917284及びUS-A 5266699では、短波長側の作業波長は４５０ｎｍの領域に拡張され、かつ吸収ピークの長波長側では赤色及びＩＲ領域に拡張されている。
【０００７】
上記の光学特性の他に、書き込み又は読み出し時の雑音信号をできる限り小さく保つために、吸光性有機物質からなる書き込み可能な情報層はできる限り非晶質の形態を示さなければならない。このため、物質を溶液からスピンコーティングにより適用する際、次に真空中で金属層又は誘電層で被覆する場合に蒸着により及び／又は昇華により適用する際に、吸光性物質の結晶化を抑制するのが特に有利である。
【０００８】
吸光性物質からなる非晶質層は、有利に高い熱形状安定性を示すのが有利である、そうでないと吸光性情報層上にスパッタ又は蒸着によって設けられる有機又は無機材料からなる他の層は拡散によって不明瞭な界面が形成されてしまい、それにより反射に不利な影響を及ぼしてしまうためである。さらに、低すぎる熱形状安定性を示す吸光性物質は、ポリマーのキャリアに対する境界面でそのキャリア内へ拡散し、またも反射に不利な影響を及ぼしかねない。
【０００９】
吸光性物質の高すぎる蒸気圧は、前記した他の層を高真空中でスパッタもしくは蒸着する際に昇華し、それにより所望の層厚が減少してしまいかねない。これは、またも反射に不利に影響を及ぼす。
【００１０】
従って、本発明の課題は、ライトワンス型光学データ記録媒体の情報層中に使用するための高い要求、特に波長領域３４０〜６８０で高密度で書き込み可能な光学データ記録−フォーマットのための高い要求（例えば光り安定性、適切な信号−雑音−比、基板材料上での損傷のない被着等）を満たす適当な化合物を提供することである。
【００１１】
キサンテン色素を含有する高容量の光学記録媒体はEP-A- 0 805 441から公知である。特許請求の範囲に記載したキサンテン色素は４までの正もしくは負の過剰電荷を有することができ、かつ相応する対イオンを有することができる。カチオン性の対イオンとして、プロトン又は金属カチオン、アンモニウムカチオン又はホスホニウムカチオンが記載されている。
【００１２】
意外にも、少なくとも２つのアニオン性基を含有しかつ対イオンとして少なくとも１つのカチオンを有し、前記カチオンは少なくとも６つのπ電子を有する少なくとも１つの所定の共役π系を有するキサンテン色素のグループからの吸光性化合物が、前記の要求を特に良好に満たすことができることが見出された。
【００１３】
本発明は、従って、有利に透明な、場合により既に１つ又は複数の反射層で被覆された基板を有し、この基板表面上に光により書き込み可能な情報層、場合により１つ又は複数の反射層及び場合により保護層又は他の基板又はカバー層が設けられていて、青色光又は赤色光、有利にレーザー光で書き込み及び読み出すことができ、前記の情報層は吸光性化合物及び場合により結合剤を含有する光学データ記録媒体において、吸光性化合物として少なくとも１種のキサンテン色素を使用し、この色素は少なくとも２つのアニオン性の基を含有し、対イオンとして少なくとも１種のカチオンを有し、このカチオンは少なくとも６つのπ電子を有する少なくとも１つの共役π系を含有し、但し、カチオンはベンジルトリメチルアンモニウム、ベンジルトリエチルアンモニウム、テトラフェニルホスホニウム、ブチルトリフェニルホスホニウム又はエチルトリフェニルホスホニウムではないことを特徴とする、光学データ記録媒体に関する。
【００１４】
この吸光性化合物は有利に熱により可変であるのが好ましい。熱による変化は、＜６００℃の温度、特に有利に＜４００℃の温度、さらに有利に＜３００℃、の温度、殊に＜２００℃の温度で行うのが有利である。このような変化は、例えば吸光性化合物の発色中心の分解又は化学変化であることができる。
【００１５】
式（Ｉ）のキサンテン色素が有利である
【００１６】
【化１】
2004523395.tif 000002
式中、
Ｒ１〜Ｒ４は相互に無関係に、水素、Ｃ１〜Ｃ１６−アルキル、Ｃ３〜Ｃ６−アルケニル、Ｃ５〜Ｃ７−シクロアルキル、Ｃ７〜Ｃ１６−アラルキル、Ｃ６〜Ｃ１０−アリール又は複素環式基を表し、これらは非イオン性の基又はアニオン性の基Ｘ−で置換されていてもよく、又は
ＮＲ１Ｒ２又はＮＲ３Ｒ４は相互に無関係に５員又は６員の、Ｎを介して結合した飽和環を表し、この環はさらにＮ又はＯを有することができかつ／又は非イオン性の基により置換されていてもよく、
Ｒ５〜Ｒ１０は相互に無関係に、水素、ハロゲン、Ｃ１〜Ｃ１６−アルキル、Ｃ１〜Ｃ１６−アルコキシ、Ｃ１〜Ｃ１６−アルキルチオ、シアノ又はニトロを表すか、又は
Ｒ１；Ｒ５、Ｒ２；Ｒ６、Ｒ３；Ｒ８又はＲ４；Ｒ９は相互に無関係に、２員又は３員の架橋を表し、この架橋はＮ又はＯを含有することができかつ／又は非イオン性の基により置換されていてもよく、
Ｒ１１は水素、Ｃ１〜Ｃ１６−アルキル、Ｃ５〜Ｃ７−シクロアルキル、Ｃ６〜Ｃ１０−アリール又は複素環式基を表し、これらは非イオン性の基又はアニオン性の基Ｘ−により置換されていてもよく、
Ｘ−は式−ＣＯＯ−、−ＳＯ３−又は−Ｏ−ＳＯ３−のアニオン性の基を表すか、又は式−ＰＯ３２−又は−Ｏ−ＰＯ３２−の二価のアニオン性の基の等価物を表し、
Ｍ＋はカチオン又はポリカチオンの等価物を表し、これは少なくとも６つのπ電子を有する少なくとも１つの共役π系を含有し、かつ
ｎは１〜３の整数を表し、
但し、Ｍ＋はベンジルトリメチルアンモニウム、ベンジルトリエチルアンモニウム、テトラフェニルホスホニウム、ブチルトリフェニルホスホニウム又はエチルトリフェニルホスホニウムを表さない。
【００１７】
非イオン性の基として、例えばＣ１〜Ｃ４−アルキル、Ｃ１〜Ｃ４−アルコキシ、ハロゲン、シアノ、ニトロ、Ｃ１〜Ｃ４−アルコキシカルボニル、Ｃ１〜Ｃ４−アルキルチオ、Ｃ１〜Ｃ４−アルカノイルアミノ、ベンゾイルアミノ、モノ−又はジ−Ｃ１〜Ｃ４−アルキルアミノが挙げられる。
【００１８】
アルキル基、同様にアルコキシ、アルキルチオ又はアラルキル中のアルキル基、同様に後の説明で述べているアルキル基は直鎖又は分枝鎖であることができる。
【００１９】
複素環式基はフリル、チエニル、ピリジル又は次の式の基である。
【００２０】
【化２】
2004523395.tif 000003
【００２１】
アルキル基、アルコキシ基、アリール基及び複素環式基、同様に後の説明で述べられているようなものは、場合により他の基、例えばアルキル、ハロゲン、ニトロ、シアノ、ＣＯ−ＮＨ２、アルコキシ、トリアルキルシリル、トリアルキルシロキシ、又はフェニルを有することができ、アルキル基及びアルコキシ基は直鎖又は分枝鎖であってもよく、アルキル基は部分的に又は完全にハロゲン化されていてもよく、アルキル基及びアルコキシ基はエトキシル化又はプロポキシル化又はシリル化されていてもよく、アリール基又は複素環式基に隣接したアルキル及び／又はアルコキシ基は一緒に３員又は４員の架橋を形成することができ、複素環式基はベンゼン縮合されていてもよくかつ／又は４級化されていてもよい。
【００２２】
少なくとも６つのπ電子を有する少なくとも１つの共役π系を含有するカチオン又はポリカチオンの等価物とは、有利に次のものであると解釈される、
ａ）  芳香族又はヘテロ芳香族により置換されたアンモニウム塩、スルホニウム塩又はヨードニウム塩、
ｂ）  環式オニウム塩、
ｃ）  酸化されたカチオン性又はラジカルカチオン性の形のレドックス系又は
ｄ）  カチオン性色素系。
【００２３】
これについての例は次のものである：
ａ）  アニリニウム塩、ジフェニルヨードニウム、チエン−２−イル−トリメチルアンモニウム、
ｂ）  ピリジニウム塩、キノリニウム塩、ベンゾチアゾリニウム塩、ジチオリウム塩、
ｃ）  ビピリジニウム塩、キノジインモニウム塩、メタロセニル、例えばフェロセニル（ＦｅＩＩＩ（Ｃ５Ｈ５）２＋）、マンガノセニル（ＭｎＩＩＩ（ＣＯ）３Ｃ５Ｈ５＋）、
ｄ）  カチオン性有機色素。
【００２４】
芳香族及びヘテロ芳香族置換基とは、例えば次のものであると解釈される：フェニル、トリル、アニシル、クロロフェニル、ナフチル、フリル、チエニル、ピリジル、キノリル。
【００２５】
カチオン性の有機色素は、色素が少なくとも１つの局在化した正の荷電を有する場合に、例えばシアニン、ストレプトシアニン、ヘミシアニン、ジアザヘミシアニン、ヌルメチン、エナミン色素、ヒドラゾン色素、ジ−又はトリ（ヘト）アリールメタン色素、キサンテン色素、アジン色素（フェナジン、オキサジン、チアジン）の種類から由来するか又は例えばアゾ色素、アントラキノン色素、ニューロシアニン、ポルフィリン又はフタロシアニンの種類から誘導される。このような色素は、例えばH. Bemeth, Cationic Dyes著、Ullmarm's Encyclopedia oflndustrial Chemistry, VCH, 6th editionから公知である。
【００２６】
λｍａｘがキサンテン色素のλｍａｘ２から５０ｎｍより大きく離れていない、有利に３０ｎｍより大きく離れていない、特に有利に１０ｎｍより大きく離れていないようなカチオン性有機色素が有利である。
【００２７】
レドックス系は例えばS. Huenig, H. Bemeth著, Topics in Current Chemistry, vol.92, 1, 1980及びK.Deuchert, S.Huenig著, Angew. Chem. 1978, 90, 927から公知である。本発明の範囲内で、カチオンＭ＋として、これらがカチオンである限り、それぞれ酸化状態ＯＸ及びラジカル状態ＳＥＭが適している。
【００２８】
式（Ｉ）のキサンテン色素が特に有利であり、その際、
Ｒ１〜Ｒ４は相互に無関係に、水素、メチル、エチル、プロピル、ブチル、クロロエチル、シアノエチル、ヒドロキシエチル、ヒドロキシプロピル、−ＣＨ２ＣＨ２ＣＯＯ−、−ＣＨ２ＣＨ２ＣＨ２ＣＯＯ−、−ＣＨ２ＣＨ２ＣＨ２ＣＨ２ＣＯＯ−、−ＣＨ２ＣＨ２ＳＯ３−、−ＣＨ２ＣＨ２ＣＨ２ＳＯ３−、−ＣＨ２ＣＨ２ＣＨ２ＣＨ２ＳＯ３−、−ＣＨ２ＣＨ２ＯＳＯ３−、アリル、シクロペンチル、シクロヘキシル、ベンジル、フェニルエチル、フェニル、トリル、アニシル、−Ｃ６Ｈ４−ＳＯ３−、ピリジル又はフリルを表すか、又は
ＮＲ１Ｒ２又はＮＲ３Ｒ４は相互に無関係にピロリジノ、ピペリジノ、モルホリノ、ピペラジノ又はＮ−メチルピペラジノを表し、
Ｒ５〜Ｒ１０は相互に無関係に、水素、クロロ、メチル又はメトキシを表すか、又は
Ｒ１；Ｒ５、Ｒ２；Ｒ６、Ｒ３；Ｒ８又はＲ４；Ｒ９は相互に無関係に−ＣＨ２ＣＨ２−、−ＣＨ２ＣＨ２ＣＨ２−又は−ＣＨ２ＣＨ２−Ｏ−架橋を表し、
Ｒ１１は水素、−ＣＨ２ＣＨ２ＣＯＯ−、−ＣＨ２ＣＨ２ＣＨ２ＣＯＯ−、−ＣＨ２ＣＨ２ＣＨ２ＣＨ２ＣＯＯ−、−ＣＨ２ＣＨ２ＳＯ３−、−ＣＨ２ＣＨ２ＣＨ２ＳＯ３−、−ＣＨ２ＣＨ２ＣＨ２ＣＨ２ＳＯ３−、フェニル、ナフチル又はピリジルを表し、これらは２個までの基−ＣＯＯ−、−ＳＯ３−、ＣＮ、−ＣＯＯ−メチル〜−ブチルにより置換されている、
その際、基Ｒ１〜Ｒ４及びＲ１１は合計で少なくとも２個の−ＣＯＯ−又は−ＳＯ３−基を含有し、
Ｍ＋は次の式のカチオン又はポリカチオンの等価物を表し、
【００２９】
【化３】
2004523395.tif 000004
【００３０】
【化４】
2004523395.tif 000005
【００３１】
【化５】
2004523395.tif 000006
【００３２】
【化６】
2004523395.tif 000007
式中、
Ｒ２１〜Ｒ２３、Ｒ３６、Ｒ３７、Ｒ３９〜Ｒ４２、Ｒ５１〜Ｒ５４、Ｒ５７、Ｒ６１〜Ｒ６６、Ｒ７２、Ｒ７３、Ｒ７２′、Ｒ７３′、Ｒ７６、Ｒ７７、Ｒ８０及びＲ８１は相互に無関係に、水素、Ｃ１〜Ｃ１６−アルキル、Ｃ３〜Ｃ６−アルケニル、Ｃ５〜Ｃ７−シクロアルキル、Ｃ７〜Ｃ１６−アラルキル又はＣ６〜Ｃ１０−アリールを表し、これらは非イオン性の基により置換されていてもよく、又は
２つの隣接する基はこれらの基と結合する窒素原子と一緒になって５員又は６員の、Ｎを介して結合する飽和環を表し、この環はさらにＮ又はＯを有することができかつ／又は非イオン性の基により置換されていてもよく、
Ｒ２５〜Ｒ２７、Ｒ３２、Ｒ３３及びＲ７８は相互に無関係に、Ｃ１〜Ｃ１６−アルキル、Ｃ３〜Ｃ６−アルケニル、Ｃ５〜Ｃ７−シクロアルキル、Ｃ７〜Ｃ１６−アラルキル又はＣ６〜Ｃ１０−アリールを表し、これらは非イオン性の基により置換されていてもよく、
Ｒ２８は水素、クロロ、アミノ、Ｃ１〜Ｃ１６−アルキル、Ｃ３〜Ｃ６−アルケニル、Ｃ５〜Ｃ７−シクロアルキル、Ｃ７〜Ｃ１６−アラルキル、Ｃ６〜Ｃ１０−アリールを表し、
Ｒ２４、Ｒ２４′、Ｒ２９〜Ｒ３１、Ｒ３５及びＲ７９は相互に無関係に、水素、ハロゲン、Ｃ１〜Ｃ８−アルキル、Ｃ１〜Ｃ８−アルコキシ、Ｃ１〜Ｃ４−アルキルチオ、シアノ又はニトロを表すか、又は
２つの隣接する基Ｒ２４、Ｒ２９、Ｒ３４及びＲ３５は−ＣＨ＝ＣＨ−ＣＨ＝ＣＨ−架橋を表し、
Ｒ３８、Ｒ５５及びＲ５６は相互に無関係に、水素、ハロゲン、Ｃ１〜Ｃ４−アルキル、Ｃ１〜Ｃ４アルコキシ、シアノ、ニトロ、Ｃ１〜Ｃ４−アルコキシカルボニル、Ｃ１〜Ｃ４−アルカノイルアミノ又はＣ１〜Ｃ４−アルカンスルホニルアミノを表し、Ｒ３８はＲ３６と一緒に−（ＣＨ２）２−又は（ＣＨ２）３−架橋を形成することができ、
Ｒ４３〜Ｒ４８、Ｒ６０、Ｒ６７、Ｒ６８及びＲ８２は相互に無関係に、水素、ハロゲン、Ｃ１〜Ｃ８−アルキル、Ｃ１〜Ｃ８−アルコキシ又はＣ１〜Ｃ４−アルキルチオを表し、かつＲ４３はＲ３９と、Ｒ４４はＲ４０と、Ｒ４６はＲ４１と、Ｒ４７はＲ４１と、Ｒ６７はＲ６３と、Ｒ６８はＲ６５と、Ｒ８２はＲ８０と一緒に−（ＣＨ２）２−又は−（ＣＨ２）３−架橋を形成することができ、
Ｒ４９、Ｒ７４及びＲ７４′は相互に無関係に、水素、Ｃ１〜Ｃ１６−アルキル、Ｃ５〜Ｃ７−シクロアルキル又はＣ６〜Ｃ１０−アリールを表し、これらは非イオン性の基により置換されていてもよく、
Ｙ１〜Ｙ３は相互に無関係に、Ｏ、Ｓ、ＮＲ５７、ＣＲ５８Ｒ５９又は−ＣＨ＝ＣＨ−を表し、
Ｙ４はＣＲ６０又はＮを表し、
Ｙ５及びＹ６は相互に無関係に、Ｏ、Ｓ、ＮＲ５７又はＣＲ５８Ｒ５９を表し、
Ｚ、Ｙ７及びＹ７′は相互に無関係に、Ｎ、ＣＨ又はＣ−ＣＮを表し、
Ｙ８及びＹ８′は相互に無関係にＯ又はＳを表し、
Ｒ５８及びＲ５９は相互に無関係に、水素又はＣ１〜Ｃ４−アルキルを表すか、又は
ＣＲ５８Ｒ５９は次の式の環
【００３３】
【化７】
2004523395.tif 000008
又は
【００３４】
【化８】
2004523395.tif 000009
を表し、その際、アスタリスク（*）で示す原子から２つの単結合が出ている、
Ｒ５０は水素、ハロゲン、Ｃ１〜Ｃ４−アルキル、Ｃ１〜Ｃ４−アルコキシ、Ｃ１〜Ｃ４−アルキルチオ、シアノ、ニトロ、Ｃ１〜Ｃ４−アルコキシカルボニル、モノ−又はジアルキルアミノ、ピロリジノ、ピペリジノ又はモルホリノを表すか、又は
Ｒ５０；Ｒ６０は一緒に−ＣＨ＝ＣＨ−ＣＨ＝ＣＨ−架橋を形成し、
Ｒ６９及びＲ７５は相互に無関係に、水素、Ｃ１〜Ｃ４−アルキル又は次の式の基
【００３５】
【化９】
2004523395.tif 000010
又は
【００３６】
【化１０】
2004523395.tif 000011
を表し、
Ｒ７０及びＲ７０′は相互に無関係に、水素、ハロゲン、Ｃ１〜Ｃ８−アルキル、Ｃ１〜Ｃ８−アルコキシ又はＣ１〜Ｃ４−アルキルチオを表すか、又は一緒に−ＣＨ＝ＣＨ−ＣＨ＝ＣＨ−架橋を形成するか、Ｒ７０はＲ７７と一緒に−（ＣＨ２）２−又は−（ＣＨ２）３−架橋を表すことができ、
Ｒ７１は水素、ハロゲン、Ｃ１〜Ｃ８−アルキル、Ｃ１〜Ｃ８−アルコキシ、Ｃ１〜Ｃ４−アルキルチオ、モノ−又はジ−Ｃ１〜Ｃ８−アルキルアミノ、アニリノ又はＮ−Ｃ１〜Ｃ８−アルキルアニリノを表し、
Ａは次の式の基
【００３７】
【化１１】
2004523395.tif 000012
又は
【００３８】
【化１２】
2004523395.tif 000013
を表し、
Ｂ１は直接結合、−ＣＨ＝ＣＨ−又は−Ｃ≡Ｃ−を表し、
Ｂ２は直接結合、−ＣＨ＝ＣＨ−、−Ｃ≡Ｃ−又はチエン−２，５−ジイルを表し、
Ｈｅｔは５員又は６員の芳香族又は準芳香族の複素環式の環を表し、この環はＮ、Ｏ又はＳのグループからの１〜３個のヘテロ原子を含有していてもよくかつベンゼン縮合されていていてもよく、かつ／又は３個までの非イオン性の基により置換されていてもよく、
ｍは１〜３の整数を表し、その際、ｍ＞１の場合ｍで誘導される基は異なる意味を有していてもよく、かつ
ｎは１〜２の整数を表す。
【００３９】
複素環式の環Ｈｅｔの例はチアゾリル、ベンゾチアゾリル、チエニル、ベンゾチエニル、ピラゾリル、チアジアゾリル、ピリジルである。
【００４０】
同様にＭ＋として適しているのは、式（ＸＸＶ）に相当するラジカルカチオン酸化状態の次の式のＳＥＭであり、
【００４１】
【化１３】
2004523395.tif 000014
式中、Ｒ６１及びＲ６２は前記した意味を表す。
【００４２】
特に有利な態様の場合には、使用したキサンテン色素は式（ＩＩ）であり、
【００４３】
【化１４】
2004523395.tif 000015
式中、
Ｒ１〜Ｒ４は相互に無関係に、水素、メチル、エチル、プロピル、ブチル、シアノエチル、ヒドロキシエチル、ヒドロキシプロピル、シクロヘキシル、ベンジル又はフェニルを表すか、又は
ＮＲ１Ｒ２又はＮＲ３Ｒ４は相互に無関係に、ピロリジノ、ピペリジノ又はモルホリノを表し、
Ｒ５、Ｒ６、Ｒ８及びＲ９は相互に無関係に、水素、メチル又はメトキシを表すか、又は
Ｒ１；Ｒ５、Ｒ２；Ｒ６、Ｒ３；Ｒ８又はＲ４；Ｒ９は相互に無関係に、−ＣＨ２ＣＨ２ＣＨ２−架橋を表し、
Ｍ＋は式（Ｘ）〜（ＸＩＩ）、（ＸＶ）、（ＸＶＩ）、（ＸＶＩＩＩ）〜（ＸＸ）、（ＸＸＩＶ）、（ＸＸＶＩ）、（ＸＸＶＩＩ）又は（ＸＸＶＩＩＩ）のカチオン又はポリカチオンの等価物を表し、
式中、
Ｒ２１〜Ｒ２３、Ｒ３６、Ｒ３７、Ｒ３９〜Ｒ４２、Ｒ５７、Ｒ６１〜Ｒ６６、Ｒ７２、Ｒ７３、Ｒ７２′、Ｒ７３′、Ｒ７６、Ｒ７７、Ｒ８０及びＲ８１は相互に無関係に、水素、メチル、エチル、プロピル、ブチル、シアノエチル、ヒドロキシエチル、ヒドロキシプロピル、シクロヘキシル、ベンジル又はフェニルを表すか、又は
ＮＲ２１Ｒ２２、ＮＲ３６Ｒ３７、ＮＲ３９Ｒ４０、ＮＲ４１Ｒ４２、ＮＲ６１Ｒ６２及びＮＲ８０Ｒ８１は相互に無関係に、ピロリジノ、ピペリジノ又はモルホリノを表し、
Ｒ２５〜Ｒ２７、Ｒ３２、Ｒ３３及びＲ７８は相互に無関係に、メチル、エチル、プロピル、ブチル、シアノエチル、ヒドロキシエチル、ヒドロキシプロピル、シクロヘキシル又はベンジルを表し、
Ｒ２４、Ｒ２４′、Ｒ３４、Ｒ３５及びＲ７９は相互に無関係に、水素、クロロ、メチル、メトキシ、シアノ又はニトロを表すか、又は
２つの隣接する基Ｒ２４、Ｒ３４又はＲ３５は−ＣＨ＝ＣＨ−ＣＨ＝ＣＨ−架橋を表し、
Ｒ３０及びＲ３１は同じであり、メチル、エチル、プロピル、２−プロピル、ブチル又はｔ−ブチルを表し、
Ｒ３８は水素、クロロ、メチル、メトキシ、シアノ、ニトロ、メトキシカルボニル、アセチルアミノ又はメタンスルホニルアミノを表し、
Ｒ４３〜Ｒ４８、Ｒ６７、Ｒ６８及びＲ８２は相互に無関係に、水素、クロロ、メチル又はメトキシを表し、
Ｒ４９、Ｒ７４及びＲ７４′は相互に無関係に、メチル、シクロヘキシル又はフェニルを表し、
Ｂ１は直接結合を表し、
Ｙ２及びＹ３は同じであり、Ｏ、Ｓ、ＮＲ５７、ＣＲ５８Ｒ５９又は−ＣＨ＝ＣＨ−を表し、
Ｙ６はＯ、Ｓ又はＮＲ５７を表し、
Ｒ５８及びＲ５９は同じであり、メチルを表し、
Ｚ、Ｙ７及びＹ７′はＣＨを表し、
Ｙ８及びＹ８′はＯ又はＳを表し、かつ同じであり、
Ｒ６９は水素又は次の式の基
【００４４】
【化１５】
2004523395.tif 000016
を表し、
Ｒ７５は水素又は次の式の基
【００４５】
【化１６】
2004523395.tif 000017
又は
【００４６】
【化１７】
2004523395.tif 000018
を表し、
Ｒ７０及びＲ７０′は相互に無関係に、水素、クロロ、メチル又はメトキシを表すか、一緒になって−ＣＨ＝ＣＨ−ＣＨ＝ＣＨ−架橋を形成し、
Ｒ７１は水素、クロロ、メチル、メトキシ、エトキシ、ジメチルアミノ、ジエチルアミノ、Ｎ−メチル−Ｎ−シアノエチルアミノ、Ｎ−メチル−Ｎ−ヒドロキシエチルアミノ、アニリノ又はＮ−メチルアニリノを表し、
Ａは次の式の基
【００４７】
【化１８】
2004523395.tif 000019
又は
【００４８】
【化１９】
2004523395.tif 000020
を表し、
ｍは１〜３の整数を表し、その際、ｍ＞１の場合ｍで誘導される基は異なる意味を有していてもよい。
【００４９】
さらに特に有利な態様の場合には、使用したキサンテン色素は式（ＩＩ−Ａ）であり、
【００５０】
【化２０】
2004523395.tif 000021
式中、
Ｒ１〜Ｒ４及びＲ２１〜Ｒ２３は相互に無関係に、水素、メチル、エチル、プロピル又はブチルを表すか、又は
ＮＲ１Ｒ２、ＮＲ３Ｒ４又はＮＲ２１Ｒ２２は相互に無関係に、ピロリジノ、ピペリジノ又はモルホリノを表し、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８又はＲ４；Ｒ９は相互に無関係、−ＣＨ２ＣＨ２ＣＨ２−架橋を表し、
Ｒ２４は水素、メチル又はメトキシを表すか、又は２つの隣接する基Ｒ２４は−ＣＨ＝ＣＨ−ＣＨ＝ＣＨ−架橋を表し、かつ
ｍは１〜２を表す。
【００５１】
同様にさらに特に有利な態様の場合には、使用したキサンテン色素は式（ＩＩ−Ｂ）であり、
【００５２】
【化２１】
2004523395.tif 000022
式中、
Ｒ１〜Ｒ４及びＲ２５は相互に無関係に、水素、メチル、エチル、プロピル又はブチルを表すか、又は
ＮＲ１Ｒ２又はＮＲ３Ｒ４は相互に無関係に、ピロリジノ、ピペリジノ又はモルホリノを表し、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８又はＲ４；Ｒ９は相互に無関係、−ＣＨ２ＣＨ２ＣＨ２−架橋を表し、
Ｒ２４は水素、メチル又はメトキシを表すか、又は２つの隣接する基Ｒ２４は−ＣＨ＝ＣＨ−ＣＨ＝ＣＨ−架橋を表し、かつ
ｍは１〜２を表す。
【００５３】
同様にさらに特に有利な態様の場合には、使用したキサンテン色素は式（ＩＩ−Ｃ）であり、
【００５４】
【化２２】
2004523395.tif 000023
式中、
Ｒ１〜Ｒ４及びＲ２５及びＲ２６は相互に無関係に、水素、メチル、エチル、プロピル又はブチルを表すか、又は
ＮＲ１Ｒ２又はＮＲ３Ｒ４は相互に無関係に、ピロリジノ、ピペリジノ又はモルホリノを表し、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８又はＲ４；Ｒ９は相互に無関係、−ＣＨ２ＣＨ２ＣＨ２−架橋を表し、
Ｂ１は直接結合を表し、
Ｒ２４は水素、メチル又はメトキシを表すか、又は２つの隣接する基Ｒ２４は−ＣＨ＝ＣＨ−ＣＨ＝ＣＨ−架橋を表し、かつ
ｍは１〜２を表す。
【００５５】
同様にさらに特に有利な態様の場合には、使用したキサンテン色素は式（ＩＩ−Ｄ）であり、
【００５６】
【化２３】
2004523395.tif 000024
式中、
Ｒ１〜Ｒ４は相互に無関係に、水素、メチル、エチル、プロピル又はブチルを表すか、又は
ＮＲ１Ｒ２又はＮＲ３Ｒ４は相互に無関係に、ピロリジノ、ピペリジノ又はモルホリノを表し、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８又はＲ４；Ｒ９は相互に無関係、−ＣＨ２ＣＨ２ＣＨ２−架橋を表し、及び
Ｒ２４は水素、メトキシ、エトキシ、ブトキシ又はオクトキシを表す。
【００５７】
同様にさらに特に有利な態様の場合には、使用したキサンテン色素は式（ＩＩ−Ｅ）であり、
【００５８】
【化２４】
2004523395.tif 000025
式中、
Ｒ１〜Ｒ４は相互に無関係に、水素、メチル、エチル、プロピル又はブチルを表すか、又は
ＮＲ１Ｒ２又はＮＲ３Ｒ４は相互に無関係に、ピロリジノ、ピペリジノ又はモルホリノを表し、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８又はＲ４；Ｒ９は相互に無関係、−ＣＨ２ＣＨ２ＣＨ２−架橋を表し、及び
Ｒ３０及びＲ３１は同じであり、水素、メチル又はｔ−ブチルを表す。
【００５９】
同様にさらに特に有利な態様の場合には、使用したキサンテン色素は式（ＩＩ−Ｆ）であり、
【００６０】
【化２５】
2004523395.tif 000026
式中、
Ｒ１〜Ｒ４及びＲ３２及びＲ３３は相互に無関係に、水素、メチル、エチル、プロピル又はブチルを表すか、又は
ＮＲ１Ｒ２又はＮＲ３Ｒ４は相互に無関係に、ピロリジノ、ピペリジノ又はモルホリノを表し、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８又はＲ４；Ｒ９は相互に無関係、−ＣＨ２ＣＨ２ＣＨ２−架橋を表し、及び
Ｒ３４及びＲ３５は相互に無関係に、水素、メチル、メトキシ又はメトキシカルボニルを表すか又は２つの隣接する基は−ＣＨ＝ＣＨ−ＣＨ＝ＣＨ−架橋を表し、
ｍは１又は２を表し、
Ｙ２及びＹ３は相互に無関係に、Ｏ、Ｓ、Ｃ（ＣＨ３）２又は−ＣＨ＝ＣＨ−を表し、かつ
ＺはＣＨを表す。
【００６１】
有利にＹ２はＳ又はＣ（ＣＨ３）２及びＹ３は−ＣＨ＝ＣＨ−を表す。
【００６２】
同様にさらに特に有利な態様の場合には、使用したキサンテン色素は式（ＩＩ−Ｇ）であり、
【００６３】
【化２６】
2004523395.tif 000027
式中、
Ｒ１〜Ｒ４及びＲ３２、Ｒ３６及びＲ３７は相互に無関係に、水素、メチル、エチル、プロピル又はブチルを表すか、又は
ＮＲ１Ｒ２、ＮＲ３Ｒ４又はＮＲ３６Ｒ３７は相互に無関係に、ピロリジノ、ピペリジノ又はモルホリノを表し、かつ
Ｒ３６は、さらにフェニル、メトキシフェニル又はエトキシフェニルを表し、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８又はＲ４；Ｒ９は相互に無関係、−ＣＨ２ＣＨ２ＣＨ２−架橋を表し、及び
Ｒ３４は水素、メチル、メトキシ又はメトキシカルボニルを表し、
Ｒ３８は水素、メチル、メトキシ、シアノ、アセチルアミノ又はメタンスルホニルアミノを表し、
ｍは１を表し、かつ
Ｙ２はＯ、Ｓ、Ｃ（ＣＨ３）２又は−ＣＨ＝ＣＨ−を表す。
【００６４】
同様にさらに特に有利な態様の場合には、使用したキサンテン色素は式（ＩＩ−Ｈ）であり、
【００６５】
【化２７】
2004523395.tif 000028
式中、
Ｒ１〜Ｒ４及びＲ３９〜Ｒ４２は相互に無関係に、水素、メチル、エチル、プロピル又はブチルを表すか、又は
ＮＲ１Ｒ２、ＮＲ３Ｒ４、ＮＲ３９Ｒ４０又はＮＲ４１Ｒ４２は相互に無関係に、ピロリジノ、ピペリジノ又はモルホリノを表し、
Ｒ５、Ｒ６、Ｒ８、Ｒ９、Ｒ４３、Ｒ４６及びＲ４７は相互に無関係に、水素又はメチルを表すか、又は
Ｒ１；Ｒ５、Ｒ２；Ｒ６、Ｒ３；Ｒ８、Ｒ４；Ｒ９、Ｒ３９；Ｒ４３、Ｒ４０；Ｒ４４、Ｒ４１；Ｒ４６及びＲ４２；Ｒ４７は相互に無関係に、−ＣＨ２ＣＨ２ＣＨ２−架橋を表し、
Ｒ４５及びＲ４８は水素を表し、かつ
Ｒ４９は水素、メチル又はフェニルを表す。
【００６６】
同様にさらに特に有利な態様の場合には、使用したキサンテン色素は式（ＩＩ−Ｊ）であり、
【００６７】
【化２８】
2004523395.tif 000029
式中、
Ｒ１〜Ｒ４及びＲ６３〜Ｒ６６は相互に無関係に、水素、メチル、エチル、プロピル又はブチルを表すか、又は
ＮＲ１Ｒ２、ＮＲ３Ｒ４、ＮＲ６３Ｒ６４又はＮＲ６５Ｒ６６は相互に無関係に、ピロリジノ、ピペリジノ又はモルホリノを表し、
Ｒ５、Ｒ６、Ｒ８、Ｒ９、Ｒ６７及びＲ６８は相互に無関係に、水素又はメチルを表すか、又は
Ｒ１；Ｒ５、Ｒ２；Ｒ６、Ｒ３；Ｒ８、Ｒ４；Ｒ９、Ｒ６３；Ｒ６７及びＲ６５；Ｒ６８は相互に無関係に、−ＣＨ２ＣＨ２ＣＨ２−架橋を表し、
Ｒ６９は水素、フェニル、２−クロロフェニル、４−ジメチルアミノフェニル、４−ジエチルアミノフェニル、４−アニリノフェニル、ナフチル、４−ジメチルアミノナフチル又は４−アニリノナフチルを表す。
【００６８】
同様にさらに特に有利な態様の場合には、使用したキサンテン色素は式（ＩＩ−Ｋ）であり、
【００６９】
【化２９】
2004523395.tif 000030
式中、
Ｒ１〜Ｒ４、Ｒ７２、Ｒ７３、Ｒ７２′及びＲ７３′は相互に無関係に、水素、メチル、エチル、プロピル又はブチルを表し、その際、Ｒ７２及びＲ７２′もしくはＲ７３及びＲ７３′は同じであるか、又は
ＮＲ１Ｒ２、ＮＲ３Ｒ４、ＮＲ７２Ｒ７３及びＮＲ７２′Ｒ７３′は相互に無関係に、ピロリジノ、ピペリジノ又はモルホリノを表し、その際、ＮＲ７２Ｒ７３及びＮＲ７２′Ｒ７３′は同じであり、
Ｒ５、Ｒ６、Ｒ８及びＲ９は相互に無関係に、水素又はメチルを表すか、又は
Ｒ１；Ｒ５、Ｒ２；Ｒ６、Ｒ３；Ｒ８及びＲ４；Ｒ９は相互に無関係に、−ＣＨ２ＣＨ２ＣＨ２−架橋を表し、
Ｙ７及びＹ７′は同じであり、Ｎ又はＣＨを表し、
Ｙ８及びＹ８′は同じであり、かつＳを表し、
Ｒ７４及びＲ７４′は同じであり、かつ水素、メチル、エチル、プロピル、ブチル又はフェニルを表し、
Ｒ７５は水素、フェニル、４−ジメチルアミノフェニル又は４−ジエチルアミノフェニルを表し、かつ
Ａは４−ジメチルアミノフェニル、４−ジエチルアミノフェニル、４−Ｎ−メチル−シアノエチル−アミノフェニル、４−Ｎ−メチル−ヒドロキシエチルアミノフェニル又は次の式の基
【００７０】
【化３０】
2004523395.tif 000031
を表す。
【００７１】
同様にさらに特に有利な態様の場合には、使用したキサンテン色素は式（ＩＩ−Ｌ）であり、
【００７２】
【化３１】
2004523395.tif 000032
式中、
Ｒ１〜Ｒ４、Ｒ８０及びＲ８１は相互に無関係に、水素、メチル、エチル、プロピル又はブチルを表すか、又は
ＮＲ１Ｒ２、ＮＲ３Ｒ４又はＮＲ８０Ｒ８１は相互に無関係に、ピロリジノ、ピペリジノ又はモルホリノを表し、
Ｒ７８はメチル、エチル、ベンジル、シアノエチル又はヒドロキシエチルを表し、
Ｒ５、Ｒ６、Ｒ８、Ｒ９及びＲ８２は相互に無関係に、水素又はメチルを表すか、又は
Ｒ１；Ｒ５、Ｒ２；Ｒ６、Ｒ３；Ｒ８、Ｒ４；Ｒ９及びＲ８０；Ｒ８２は相互に無関係に
、−ＣＨ２ＣＨ２ＣＨ２−架橋を表し、その際、架橋Ｒ８０；Ｒ８２は１〜３個のメチル基により置換されていてもよく、かつ
Ｒ７９は水素又は臭素を表す。
【００７３】
青色レーザ光を用いて書き込み及び読み出しする本発明によるライトワンス型光学データ記録媒体のために、吸収極大λｍａｘ２が４２０〜５５０ｎｍの範囲内にあり、その際、波長λ１／２（この場合、波長λｍａｘ２の吸収極大の短波長側での吸光度がλｍａｘ２での吸光値の半分である）と波長λ１／１０（この場合、波長λｍａｘ２の吸収極大の短波長側での吸光度がλｍａｘ２での吸光値の１０分の１である）とは有利に５０ｎｍより広く離れていないようなキサンテン色素が有利である。このようなキサンテン色素は有利に波長３５０ｎｍまで、特に有利に３２０ｎｍまで、さらに有利に２９０ｎｍまで、より短波長の極大λｍａｘ１を示さない。
【００７４】
４１０〜５３０ｎｍの吸収極大λｍａｘ２を示すキサンテン色素が有利である。
【００７５】
４２０〜５１０ｎｍの吸収極大λｍａｘ２を示すキサンテン色素が特に有利である。
【００７６】
４３０〜５００ｎｍの吸収極大λｍａｘ２を示すキサンテン色素が殊に有利である。
【００７７】
有利にこのキサンテン色素において、上記に定義されているようなλ１／２とλ１／１０とは相互に４０ｎｍより広く離れていない、特に有利に３０ｎｍより広く離れていない、さらに有利に２０ｎｍより広く離れていない。
【００７８】
赤色レーザー光を用いて書き込み及び読み出しする本発明によるライトワンス型光学データ記録媒体のために、吸収極大λｍａｘ２が５００〜６５０ｎｍの範囲内にあり、その際、波長λ１／２（この場合、波長λｍａｘ２の吸収極大の長波長側での吸光度がλｍａｘ２での吸光値の半分である）と波長λ１／１０（この場合、波長λｍａｘ２の吸収極大の長波長側での吸光度がλｍａｘ２での吸光値の１０分の１である）とは有利に５０ｎｍより広く離れていないようなキサンテン色素が有利である。このようなキサンテン色素は有利に波長７５０ｎｍまで、特に有利に８００ｎｍまで、さらに有利に８５０ｎｍまで、より長波長の極大λｍａｘ３を示さない。
【００７９】
５３０〜６３０ｎｍの吸収極大λｍａｘ２を示すキサンテン色素が有利である。
【００８０】
５５０〜６２０ｎｍの吸収極大λｍａｘ２を示すキサンテン色素が特に有利である。
【００８１】
５８０〜６１０ｎｍの吸収極大λｍａｘ２を示すキサンテン色素が殊に有利である。
【００８２】
有利にこのキサンテン色素において、上記に定義されているようなλ１／２とλ１／１０とは相互に４０ｎｍより広く離れていない、特に有利に３０ｎｍより広く離れていない、さらに有利に２０ｎｍより広く離れていない。
【００８３】
このキサンテン色素は吸収極大λｍａｘ２でモル吸光計数ε＞４００００  ｌ／ｍｏｌ  ｃｍ、有利に＞６００００  ｌ／ｍｏｌ  ｃｍ、特に有利に＞８００００  ｌ／ｍｏｌ  ｃｍ、殊に有利に＞１０００００  ｌ／ｍｏｌ  ｃｍを示す。
【００８４】
この吸収スペクトルは例えば溶液中で測定される。
【００８５】
本発明によるカチオンとは異なるカチオンを有する式（Ｉ）のキサンテン色素は部分的に公知である。
【００８６】
本発明の他の対象は、式（Ｉ）のキサンテン色素であり、その際、置換基は前記の一般的、特に及びさらに特に有利な意味を有しかつ前記の条件が通用する。
【００８７】
式（Ｉ）のキサンテン色素は例えば、Ｍ＋が本発明によらないカチオンＭ＋′を表す、例えばアルカリ金属イオン、例えばＬｉ＋、Ｎａ＋、Ｋ＋、プロトンＨ＋又はアンモニウムイオン、例えばＮＨ４＋、トリメチルアンモニウム又はテトラメチルアンモニウムを表す式（Ｉ）のキサンテン色素を、
塩Ｍ＋Ｚ−（式中、Ｍ＋は前記した本発明による意味を有し、Ｚ−はアニオン、例えばクロリド、ブロミド、ヒドロゲンスルフェート、１／２スルフェート、メトスルフェート、アセテート又はテトラフルオロボレートを表す）と、
有利に式（Ｉ）の出発化合物（Ｍ＋＝Ｍ＋′）とＭ＋Ｚ−とが少なくとも部分的に溶解し、かつ本発明による式（Ｉ）の生成物はわずかな溶解性を示すような適当な溶剤中で反応させることにより製造される。次いで、例えば溶剤から吸引濾過により単離することができる。適当な溶剤は、例えば水、アルコール、例えばメタノール、エタノール、プロパノール、メトキシエタノール、メトキシプロパノール、ニトリル、例えばアセトニトリル、アミド、例えばジメチルホルムアミド、Ｎ−メチルピロリドン及びエステル、例えばγ−ブチロラクトン又はこれらの混合物である。
【００８８】
式（Ｉ）の本発明によるキサンテン色素を製造する他の方法は、Ｍ＋が本発明によらないカチオンＭ＋′を表す、例えばアルカリ金属イオン、例えばＬｉ＋、Ｎａ＋、Ｋ＋、プロトンＨ＋又はアンモニウムイオン、例えばＮＨ４＋、トリメチルアンモニウム又はテトラメチルアンモニウムを表す式（Ｉ）のキサンテン色素を、カチオン交換により本発明によるカチオンＭ＋を有するものに変換する。適当な溶剤はこの場合でも前記したものである。この方法は、本発明による式（Ｉ）のキサンテン色素が選択された溶剤中に良好に溶解する場合が有利である。この色素は例えば溶剤の留去により又は色素が難溶性の溶剤を用いて沈殿させることにより単離する。このような溶剤は、例えば芳香族化合物、例えばトルエン又はエステル、例えば酢酸エチルエステルである。
【００８９】
書き込まれる吸光性物質は、書き込みしていない状態で光学データ記録媒体の十分に高い反射率（＞１０％）を保証し、並びにフォーカスされた光で点状に照射した際に、光の波長が３６０〜４６０ｎｍ及び６００〜６８０ｎｍの範囲内にある場合に、情報層の熱的変性のために十分に高い吸収を保証する。データ記録媒体上での書き込まれた箇所と書き込まれていない箇所との間のコントラストは、振幅の反射率の変化によって実現され、並びに入射光の相は情報層の熱分解後に変化した光学特性によって実現される。
【００９０】
このキサンテン色素は光学データ記録媒体上に有利にスピンコーティングにより塗布される。このキサンテン色素は相互に混合できるか又は類似するスペクトル特性を示す他の色素と混合することができる。特に、異種のカチオンを有する色素を混合することもできる。この情報層は、キサンテン色素の他に添加物、例えば結合剤、湿潤剤、安定剤、希釈剤及び増感剤並びに他の成分を含有することができる。
【００９１】
この光学データ記録は、情報層の他に他の層、例えば金属層、誘電層並びに保護層を有していることができる。金属層及び誘電層は、特に反射率の調整及び熱調整のために用いられる。金属はレーザー波長に応じて金、銀、アルミニウム等である。誘電層は例えば二酸化ケイ素及び窒化ケイ素である。保護層は、例えば光硬化性の、塗料、（感圧性の）接着層及び保護シートである。
【００９２】
感圧接着層は主にアクリル接着剤からなる。特許JP-A 11-273147に開示されたNitto Denko DA-8320又はDA-8310は、例えばこの目的のために使用することができる。
【００９３】
この光学データ記録媒体は例えば次の層構造を示す（図１参照）：透明な基板（１）、場合による保護層（２）、情報層（３）、場合による保護層（４）、場合による接着層（５）、カバー層（６）。
【００９４】
次の光学データ記録媒体の構造が有利である：
−  有利に透明な基板（１）を有し、この表面上に光で書き込み可能な少なくとも１つの情報層（３）（これは光で、有利にレーザー光で書き込むことができる）、場合による保護層（４）、場合による接着層（５）、及び透明なカバー層（６）が設けられている。
【００９５】
−  有利に透明な基板（１）を有し、この表面上に保護層（２）、光、有利にレーザー光で書き込み可能な少なくとも１つの情報層（３）、場合による接着層（５）、及び透明なカバー層（６）が設けられている。
【００９６】
−  有利に透明な基板（１）を有し、この表面上に保護層（２）、光、有利にレーザー光で書き込み可能な少なくとも１つの情報層（３）、場合による保護層（４）、場合による接着層（５）、及び透明なカバー層（６）が設けられている。
【００９７】
−  有利に透明な基板（１）を有し、この表面上に、光、有利にレーザー光で書き込み可能な少なくとも１つの情報層（３）、場合による接着層（５）、及び透明なカバー層（６）が設けられている。
【００９８】
また、光学データ記録媒体は例えば次の構造を有する（図２参照）：有利に透明な基板（１１）、情報層（１２）、場合による反射層（１３）、場合による接着層（１４）、他の有利な透明な基板（１５）。
【００９９】
本発明は青色光又は赤色光で、特にレーザー光で書き込み可能な本発明による光学データ記録媒体に関する。
【０１００】
次の実施例は本発明の対象を明確にする。
【０１０１】
実施例
実施例１
次の式のキサンテン色素６．３ｇ
【０１０２】
【化３２】
2004523395.tif 000033
（ロダミン６６０）を水２００ｍｌに溶かした。フェロセニルテトラフルオロボレート２．８ｇを室温で撹拌しながらゆっくりと添加した。室温で一晩中撹拌し、Ｇ４フリットで吸引濾過した。次の式の輝く金色の粉末４．５ｇ（理論値の５７％）が得られた
【０１０３】
【化３３】
2004523395.tif 000034
融点  ＞３００℃
λｍａｘ（メタノール）＝５７８ｎｍ
δ＝１２１２１７  ｌ／ｍｏｌ  ｃｍ
可溶性：ＴＦＰ（２，２，３，３−テトラフルオロプロパノール）中で＞２％。
【０１０４】
同様に適当なキサンテン色素を次の表中にまとめ、その際、この色素は実施例１と同様に製造できた。
【０１０５】
【表１】
2004523395.tif 000035
【０１０６】
【表２】
2004523395.tif 000036
【０１０７】
【表３】
2004523395.tif 000037
【０１０８】
【表４】
2004523395.tif 000038
【０１０９】
【表５】
2004523395.tif 000039
【０１１０】
【表６】
2004523395.tif 000040
【０１１１】
【表７】
2004523395.tif 000041
１）  他に記載がない場合には、メタノール中
実施例４０
室温で実施例１５からの色素の２，２，３，３−テトラフルオロプロパノールの４質量％溶液を製造した。この溶液を予めグルーブ付けしたポリカーボネート基板上にスピンコーティングで塗布した。予めグルーブ付けしたポリカーボネート基板は射出成形によりディスクとして製造した。ディスクの寸法及びグルーブ構造は通常のＤＶＤ−Ｒで使用されるものに一致した。情報記録媒体として色素層を備えたディスクに、銀１００ｎｍを蒸着した。引き続き、ＵＶ硬化性アクリル塗料をスピンコーティングにより塗布し、ＵＶランプで硬化させた。このディスクは光学ベンチ上に構築された動的な書き込み試験構造を用いて試験し、この試験構造は直線偏光を作成するためのダイオードレーザ（λ＝６５６ｎｍ）、偏光に敏感なビームスプリッタ、λ／４板及び可動に懸架した、開口数ＮＡ＝０．６集光レンズ（アクチュエータレンズ）からなる。ディスクの反射層により反射した光は、上記の偏光に敏感なビームスプリッタを用いてビーム路から取り出され、非点収差レンズを通して４クワドラント検出器上にフォーカスさせた。線速度Ｖ＝３．５ｍ／ｓ及び書き込み出力Ｐｗ＝１５ｍＷの場合に、信号−雑音−比Ｃ／Ｎ＝５２ｄＢが測定されれた。この場合、この書き込み出力は発振パルス系列として調達し、この場合にディスクを上記の書き込み出力Ｐｗで１μｓ間及びＰｒ≒０．６ｍＷの読み出し出力で４μｓ間交互に照射した。このディスクをこの発振パルス系列で、このディスクがそれ自体１回転分回転するまで照射した。その後で、こうして作成したマーキングをＰｒの読み出し出力で読み出し、上記の信号−雑音−比Ｃ／Ｎを測定した。
【図面の簡単な説明】
【０１１２】
【図１】光学データ記録媒体の層構造を示す図
【図２】光学データ記録媒体の層構造を示す図
【図１】
2004523395.tif 000061
【図２】
2004523395.tif 000062
【国際公開パンフレット】
2004523395.tif 000063
2004523395.tif 000064
2004523395.tif 000065
2004523395.tif 000066
2004523395.tif 000067
2004523395.tif 000068
2004523395.tif 000069
2004523395.tif 000070
2004523395.tif 000071
2004523395.tif 000072
2004523395.tif 000073
2004523395.tif 000074
2004523395.tif 000075
2004523395.tif 000076
2004523395.tif 000077
2004523395.tif 000078
2004523395.tif 000079
2004523395.tif 000080
2004523395.tif 000081
2004523395.tif 000082
2004523395.tif 000083
2004523395.tif 000084
2004523395.tif 000085
2004523395.tif 000086
2004523395.tif 000087
2004523395.tif 000088
2004523395.tif 000089
2004523395.tif 000090
2004523395.tif 000091
2004523395.tif 000092
2004523395.tif 000093
2004523395.tif 000094
2004523395.tif 000095
2004523395.tif 000096
2004523395.tif 000097
2004523395.tif 000098
2004523395.tif 000099
2004523395.tif 000100
2004523395.tif 000101
2004523395.tif 000102
2004523395.tif 000103
2004523395.tif 000104
2004523395.tif 000105
2004523395.tif 000106
2004523395.tif 000107
2004523395.tif 000108
2004523395.tif 000109
2004523395.tif 000110
2004523395.tif 000111
2004523395.tif 000112
2004523395.tif 000113
2004523395.tif 000114
2004523395.tif 000115
2004523395.tif 000116
2004523395.tif 000117
2004523395.tif 000118
2004523395.tif 000119
2004523395.tif 000120
2004523395.tif 000121
2004523395.tif 000122
2004523395.tif 000123
2004523395.tif 000124
2004523395.tif 000125
2004523395.tif 000126
2004523395.tif 000127
2004523395.tif 000128
2004523395.tif 000129
【国際調査報告】
2004523395.tif 000130
2004523395.tif 000131
2004523395.tif 000132
2004523395.tif 000133
2004523395.tif 000134
2004523395.tif 000135